(57)【要約】【課題】ヘッドボードやフットボード、サイドボード、ナイトテーブルなどの付属ボードを、ベッドフレームにおける枠部１１の任意の位置に容易に取付・分解可能としたベッドを提供する。【解決手段】ベッドフレームの枠部１１に取付具７を介して着脱可能に取り付けられるヘッドボード３等、付属ボードを備え、取付具７が、前記付属ボードの端部に固定された天板部７ａ及びその両側から延在されて前記枠部１１に外嵌可能な一対の側板部７ｂ，７ｃを有し、本体金具７１の内面に不織布等からなる緩衝材７２を貼着した構造を有する。【選択図】図３
0003115821.tif 000002
【実用新案登録請求の範囲】
【請求項１】
ベッドフレームと、その枠部に取付具を介して着脱可能に取り付けられる付属ボードとを備え、前記取付具が、前記付属ボードの端部に固定された天板部及びその両側から延在されて前記枠部に外嵌可能な一対の側板部を有することを特徴とするベッド。
【請求項２】
取付具が、本体金具と、その内面に設けられた緩衝材からなり、この緩衝材が、不織布、織布、海綿体、ゴム状弾性材料から選択された材料からなることを特徴とする請求項１に記載のベッド。
【請求項３】
付属ボードにおける取付具の取付位置が、前記取付具の厚み分だけ切り欠かれていることを特徴とする請求項１又は２に記載のベッド。
【請求項４】
付属ボードが、ヘッドボード、フットボード、サイドボード又はナイトテーブルであることを特徴とする請求項１〜３のいずれかに記載のベッド。
【考案の詳細な説明】
【技術分野】
【０００１】
本考案は、付属ボードを、ベッドフレームに組立・分離可能に取り付けるようにしたベッドに関するものである。
【背景技術】
【０００２】
従来、例えば下記の特許文献１に記載されたように、ベッドフレームを組立・分解可能とした組立式ベッドが知られているが、ヘッドボードやフットボード、サイドボードなどの付属ボードを、ベッドフレームの任意の位置に取付・分解可能として、使い勝手を良くしたベッドはなかった。
【特許文献１】特開２００３−３３９４７８号公報
【考案の開示】
【考案が解決しようとする課題】
【０００３】
本考案は、以上のような点に鑑みてなされたものであって、その技術的課題とするところは、ヘッドボードやフットボード、サイドボード、ナイトテーブルなどの付属ボードを、ベッドフレームにおける枠部の任意の位置に容易に取付・分解可能としたベッドを提供するものである。
【課題を解決するための手段】
【０００４】
上述した技術的課題を有効に解決するための手段として、請求項１の考案に係るベッドは、ベッドフレームと、その枠部に取付具を介して着脱可能に取り付けられる付属ボードとを備え、前記取付具が、前記付属ボードの端部に固定された天板部及びその両側から延在されて前記枠部に外嵌可能な一対の側板部を有することを特徴とするものである。
【０００５】
請求項２の考案に係るベッドは、請求項１に記載された構成において、取付具が、本体金具と、その内面に設けられた緩衝材からなり、この緩衝材が、不織布、織布、海綿体、ゴム状弾性材料から選択された材料からなることを特徴とするものである。
【０００６】
請求項３の考案に係るベッドは、請求項１又は２に記載された構成において、付属ボードにおける取付具の取付位置が、前記取付具の厚み分だけ切り欠かれていることを特徴とするものである。
【０００７】
請求項４の考案に係るベッドは、請求項１〜３のいずれかに記載された構成において、付属ボードが、ヘッドボード、フットボード、サイドボード又はナイトテーブルであることを特徴とするものである。
【考案の効果】
【０００８】
請求項１の考案に係るベッドによれば、付属ボードの端部に固定された取付具の両側板部を、ベッドフレームの枠部の上端部に外嵌することによって、この枠部における任意の位置に付属ボードを容易に取り付け、あるいは前記取付具の両側板部を、前記枠部の上端部から抜き出すことによって、容易に取り外すことができる。
【０００９】
請求項２の考案に係るベッドによれば、請求項１による効果に加え、付属ボードの取り付けあるいは取り外しの際に、取付具によって前記枠部が損傷するのを、緩衝材によって有効に防止することができる。
【００１０】
請求項３の考案に係るベッドによれば、請求項１又は２による効果に加え、取付具の厚み分だけ付属ボードがベッドフレームの枠部の上面から浮き上がるのを防止することができる。
【００１１】
請求項４の考案に係るベッドによれば、請求項１〜３のいずれかによる効果に加え、ヘッドボード、フットボード、サイドボード又はナイトテーブルを、ベッドフレームの枠部に任意に取り付け、あるいは取り外すことができるので、ベッドの使用形態のバリエーションを増やして使い勝手を向上することができる。
【考案を実施するための最良の形態】
【００１２】
以下、本考案に係るベッドの好ましい実施の形態について、図面を参照しながら説明する。図１は、全体の分解斜視図、図２は、取付状態の一例を示す全体の斜視図、図３は、ベッドフレームの枠部にヘッドボードを取り付けた状態を示す要部断面図、図４は、ヘッドボードと取付具の結合構造を示す要部分解斜視図、図５は、ベッドフレームの枠部にサイドボードを取り付けた状態を示す要部断面図である。
【００１３】
まず図１及び図２において、参照符号１はベッドフレーム、２はウッドスプリング、３は付属ボードとしてのヘッドボード、４は付属ボードとしてのフットボード、５は付属ボードとしてのサイドボード、６は付属ボードとしてのナイトテーブルである。
【００１４】
ベッドフレーム１は木製であって、相対的に長い一対のサイドフレーム１１１と、相対的に短い一対のエンドフレーム１１２を、平面形状（鉛直方向の投影形状）が長方形をなすように組んだ枠部１１と、その四隅に設けられた脚部１２と、枠部１１における各サイドフレーム１１１の内側面に設けられた一対の支持梁１３からなる。
【００１５】
ウッドスプリング２は、ベッドフレーム１における枠部１１のエンドフレーム１１２と平行な方向へ延びる木製の短冊状の多数の板バネ２１を、適当な間隔で簀の子状に並べて両端を互いに結合した構造を有するものであって、枠部１１の内周に嵌め込まれると共に、両側を支持梁１３によって支持されるようになっている。
【００１６】
ヘッドボード３、フットボード４、サイドボード５、及びナイトテーブル６は木製であって、フットボード４は、ベッドフレーム１における枠部１１のエンドフレーム１１２と略対応する長さを有する細長い板状であり、サイドボード５は前記枠部１１のサイドフレーム１１１と略対応する有する細長い板状であり、ナイトテーブル６は、サイドフレーム１１１やエンドフレーム１１２に比較して小型の板状である。また、ヘッドボード３はその下端面に、また、フットボード４、サイドボード５、及びナイトテーブル６は、その幅方向一側の下面に、一個乃至複数個の取付具７が固定されている。
【００１７】
図３、図４及び図５に示されるように、取付具７は、付属ボード（ヘッドボード３、フットボード４、サイドボード５又はナイトテーブル６）の端部に複数のビス７３を介して固定された天板部７ａ及びその両側から延在されてベッドフレーム１における枠部１１の上端部に外嵌可能な一対の側板部７ｂ，７ｃを有する。また、この取付具７は、鋼板を断面コ字形のアングル状に成形した、すなわち天板部７１ａ及びその両側から垂直に屈曲した対の側板部７１ｂ，７１ｃを有する3ｍｍ程度の厚さを有する強度の高い本体金具７１の内面に、不織布からなる1ｍｍ程度の厚さの緩衝材７２を貼着したものであって、前記枠部１１の上端部の内側面に嵌合される側板部７ｃに開設された円錐面状の小孔７ｄを通じて、前記枠部１１にビス７４をねじ込むことができるようになっている。なお、緩衝材７２としては不織布のほか、織布、海綿体あるいはゴム状弾性材料を採用することもできる。
【００１８】
また、図４に示されるように、ヘッドボード３の下端面３ａにおける取付具７の取付位置は、取付具７における天板部７ａの厚み分に相当する切欠３ｂとなっており、すなわち、取付具７の天板部７ａは、切欠３ｂに嵌め込まれた状態で、複数のビス７３により締結されている。他の付属ボード（フットボード４、サイドボード５又はナイトテーブル６）の端部にも、同様の切欠（不図示）が形成されている。
【００１９】
以上の構成を備えるベッドは、図３又は図５に一点鎖線で示されるように、ベッドフレーム１における枠部１１の内周にウッドスプリング２をセットして支持梁１３により支持させ、その上に、敷布団やマットレスなどの寝具８を敷設して用いられる。
【００２０】
図２に典型的な一例として示されるように、ベッドフレーム１の枠部１１には、付属ボード（ヘッドボード３、フットボード４、サイドボード５又はナイトテーブル６）を任意に取り付けることができる。
【００２１】
ここで、サイドボード５やナイトテーブル６は、照明スタンドを設置したり小物を置いたりするのに便利であると共に、図５に示されるように、寝具８のずれ止めとしても機能させることができる。また、ヘッドボード３は、通常はベッドフレーム１のエンドフレーム１１２に取り付けられるが、図２に一点鎖線で示されるように、サイドフレーム１１１の一部に取り付ければ、当該ベッドをカウチソファとして使用するのに便利であり、フットボード４やナイトテーブル６も、図示の位置に限らず、サイドフレーム１１１の任意の位置に取り付けることができる。
【００２２】
付属ボード（ヘッドボード３、フットボード４、サイドボード５又はナイトテーブル６）の取り付けにおいては、図３あるいは図５に示されるように、この付属ボードの端部に設けられた取付具７を、ベッドフレーム１における枠部１１のサイドフレーム１１１あるいはエンドフレーム１１２の上端部に外嵌する。取付具７は、強度の高い本体金具７１を有するため、側板部７ｂ，７ｃ（７１ｂ，７１ｃ）でサイドフレーム１１１あるいはエンドフレーム１１２の上端部を両側から挟み込むように嵌め込むことによって、しっかりと、かつ容易に取り付けることができる。また、取付具７の側板部７ｃに開設された小孔７ｄから、ビス７４をねじ込むことによって、更に確実に固定することができる。
【００２３】
取付具７は、その内面に不織布からなる緩衝材７２が貼着されているので、鋼板からなる本体金具７１の内法やベッドフレーム１の枠部１１の肉厚などの僅かな寸法誤差が吸収され、このため、サイドフレーム１１１あるいはエンドフレーム１１２の側面が取付具７とのカジリによって損傷したり、ガタ付きが発生するのを有効に防止することができる。しかも、取付具７における天板部７ａは、図４のように、天板部７ａの厚み分に相当する切欠３ｂに嵌め込まれているので、天板部７ａの厚み分だけ付属ボードがサイドフレーム１１１あるいはエンドフレーム１１２の上面から浮き上がって隙間を生じるのを防止することができる。
【００２４】
また、ビス７４をねじ込むための小孔７ｄは、ベッドフレーム１における枠部１１の内側面に嵌合される側板部７ｃに開設されているので、ビス７４は、枠部１１の内側にねじ込まれることになる。このため、ビス７４を取り外して取付具７を枠部１１から抜き取った場合、ビス７４をねじ込んだ痕跡でベッドフレーム１の外観が損なわれることはない。
【図面の簡単な説明】
【００２５】
【図１】本考案に係るベッドの好ましい実施の形態を示す全体の分解斜視図である。
【図２】本考案に係るベッドの好ましい実施の形態において、付属ボードの取付状態の一例を示す全体の斜視図である。
【図３】本考案に係るベッドの好ましい実施の形態において、ベッドフレームの枠部にヘッドボードを取り付けた状態を示す要部断面図である。
【図４】本考案に係るベッドの好ましい実施の形態において、ヘッドボードと取付具の結合構造を示す要部分解斜視図である。
【図５】本考案に係るベッドの好ましい実施の形態において、ベッドフレームの枠部にサイドボードを取り付けた状態を示す要部断面図である。
【符号の説明】
【００２６】
１    ベッドフレーム
１１    枠部
１１１    サイドフレーム
１１２    エンドフレーム
１２    脚部
１３    支持梁
２    ウッドスプリング
２１    板バネ
３    ヘッドボード（付属ボード）
４    フットボード（付属ボード）
５    サイドボード（付属ボード）
６    ナイトテーブル（付属ボード）
７    取付具
７ａ,７１ａ    天板部
７ｂ，７ｃ，７１ｂ，７１ｃ    側板部
７１    本体金具
７２    緩衝材
７３，７４    ビス
８    寝具
【図１】
0003115821.tif 000003
【図２】
0003115821.tif 000004
【図３】
0003115821.tif 000005
【図４】
0003115821.tif 000006
【図５】
0003115821.tif 000007